(57)【要約】【課題】  印刷ジョブの先頭で連続紙をカットしたとき、印刷ジョブの先頭ページが折り畳まれた連続紙の表になると共に、印刷ジョブのリカバリを行ったり、一部の範囲を差し替えした場合に、印刷物の折り目の山谷の整合性を変えないことを課題とする。【解決手段】  印刷ジョブの先頭が谷折り用紙ＰＡに印刷されると判断されると、そのまま谷折り用紙ＰＡに印刷させ、山折り用紙ＰＢに印刷されると判断されると、連続紙Ｐを一ページ搬送させるか、白紙を一ページ印刷することによって、印刷ジョブの先頭を谷折り用紙ＰＡに印刷する。これにより、印刷ジョブの先頭ページは、連続紙Ｐを折り畳んだ状態で表側になるページに印刷されるので、印刷ジョブの先頭ページの前で連続紙Ｐ（印刷物）をカットして折り畳んだときに、印刷ジョブの先頭ページが表側に位置する。したがって、印刷ジョブの確認がしやすくなり、仕分けが容易になる。【選択図】    図３
2007086396.tif 000002
【特許請求の範囲】
【請求項１】
ページ毎に折り畳まれた連続紙に画像を形成する連続紙プリンタにおいて、
所定位置で前記連続紙の折り目が山折りの位置か谷折りの位置かを入力する山谷入力手段と、
前記連続紙の一ページの用紙送り長を入力する用紙送り長入力手段と、
前記山谷入力手段及び前記用紙送り長入力手段からの情報に基づき、印刷ジョブが前記連続紙の谷折り用紙から始まるか山折り用紙から始まるかを判断する判断手段と、を有し、
前記判断手段で印刷ジョブの先頭が前記山折り用紙と判断されると、前記連続紙を一ページ搬送するか、又は、白紙を一ページ印刷して、印刷ジョブの先頭を該連続紙の該谷折り用紙に印刷させ、印刷ジョブの先頭が該谷折り用紙に印刷されると判断されると、そのまま印刷ジョブの先頭を該谷折り用紙に印刷させることを特徴とする連続紙プリンタ。
【請求項２】
ページ毎に折り畳まれた連続紙に画像を形成する連続紙プリンタにおいて、
印刷ジョブの直前に印刷ジョブに関する情報等が記録されたバナーシートを印刷するバナー印刷手段と、
所定位置で前記連続紙の折り目が山折りの位置か谷折りの位置かを入力する山谷入力手段と、
前記連続紙の一ページの用紙送り長を入力する用紙送り長入力手段と、
前記山谷入力手段及び前記用紙送り長入力手段からの情報に基づき、印刷ジョブが前記連続紙の谷折り用紙から始まるか山折り用紙から始まるかを判断する判断手段と、を有し、
前記判断手段でバナーシートが前記山折り用紙に印刷されると判断されると、前記連続紙を一ページ搬送するか、又は、白紙を一ページ印刷して、バナーシートを該連続紙の該谷折り用紙に印刷させ、バナーシートが該谷折り用紙に印刷されると判断されると、そのままバナーシートを該谷折り用紙に印刷させることを特徴とする連続紙プリンタ。
【請求項３】
前記判断手段で前記印刷ジョブの最終が前記連続紙の谷折り用紙に印刷されると判断されると、該連続紙を一ページ搬送するか、又は、白紙を一ページ印刷することを特徴とする請求項１又は請求項２に記載の連続紙プリンタ。
【請求項４】
次に印刷される出力ページが印刷ジョブの先頭から数えて偶数か奇数かを検出する検出手段を有し、前記検出手段で出力ページが奇数と検出されると、出力ページは前記連続紙の谷折り用紙に印刷され、出力ページが偶数と検出されると、出力ページは前記連続紙の山折り用紙に印刷されることを特徴とする請求項１〜請求項３のいずれか１項に記載の連続紙プリンタ。
【請求項５】
前記連続紙を装置にセットするとき、該連続紙の谷折り用紙を該連続紙に画像を形成する画像形成部に対応させることを特徴とする請求項１〜請求項４のいずれか１項に記載の連続紙プリンタ。
【発明の詳細な説明】
【技術分野】
【０００１】
本発明は、折り畳まれた連続紙に画像を形成する連続紙プリンタに関する。
【背景技術】
【０００２】
ページ毎に折り畳まれた連続紙を展開して搬送し、画像を形成する（印刷する）連続紙プリンタでは、印刷された連続紙（印刷物）は、折り畳まれた状態でスタッカに排出される。
【０００３】
このような連続紙プリンタにおいて、連続紙の折り畳み方向（折り目の山谷の方向）にかかわらず印刷すると、スタッカに排出された印刷物を取り出して印刷ジョブの先頭でカットし、印刷ジョブ単位に仕分けしたときに、印刷ジョブの先頭ページが印刷物の表になるとは限らない。
【０００４】
また、印刷ジョブの先頭ページが印刷物の裏面に印刷されると、印刷ジョブ毎の仕分けをする際に、印刷物をめくって印刷ジョブの先頭ページを確認する必要が発生するため、仕分けがしづらくなる。
【０００５】
そこで、印刷ジョブ中に白紙ページを編集して、これを選択的に印刷することにより、印刷ジョブの先頭ページと最終ページとがそれぞれ折り畳んだ状態で表側になるように印刷を行う構成が開示されている（特許文献１参照）。
【０００６】
特許文献１では、印刷ジョブの印刷途中でジャム等による連続紙の交換が必要なリカバリを行ったときは、印刷ジョブの先頭ページを谷折り用紙又は山折り用紙とすることができないため、リカバリの前後で印刷物の山谷の整合性が変わってしまうことがある。
【０００７】
また、従来の連続紙では、一旦印刷した印刷ジョブにおいて、連続紙や印刷状態の不具合によって一部の範囲を再印刷して差し替えをしたとき、元の印刷ジョブの印刷物と、再印刷した印刷物との間で、山谷の整合性が変わってしまうことがある。これにより、スプライシングすることができなかったり、複数の印刷ジョブの印刷物を並べてそれぞれの印刷ジョブの確認を行う作業に困難をきたしたりする。
【特許文献１】特開昭６１−７２５６７号公報
【発明の開示】
【発明が解決しようとする課題】
【０００８】
本発明は上記問題を考慮し、印刷ジョブの先頭で連続紙をカットしたとき、印刷ジョブの先頭ページが折り畳まれた連続紙の表になると共に、印刷ジョブのリカバリを行ったり、一部の範囲を差し替えした場合に、印刷物の折り目の山谷の整合性を変えないことを目的とする。
【課題を解決するための手段】
【０００９】
請求項１に記載の本発明は、ページ毎に折り畳まれた連続紙に画像を形成する連続紙プリンタにおいて、所定位置で前記連続紙の折り目が山折りの位置か谷折りの位置かを入力する山谷入力手段と、前記連続紙の一ページの用紙送り長を入力する用紙送り長入力手段と、前記山谷入力手段及び前記用紙送り長入力手段からの情報に基づき、印刷ジョブが前記連続紙の谷折り用紙から始まるか山折り用紙から始まるかを判断する判断手段と、を有し、前記判断手段で印刷ジョブの先頭が前記山折り用紙に印刷されると判断されると、前記連続紙を一ページ搬送するか、又は、白紙を一ページ印刷して、印刷ジョブの先頭を該連続紙の該谷折り用紙に印刷させ、印刷ジョブの先頭が該谷折り用紙に印刷されると判断されると、そのまま印刷ジョブの先頭を該谷折り用紙に印刷させることを特徴としている。
【００１０】
請求項１に記載の発明によれば、山谷入力手段で所定位置における連続紙の折り目が山折りの位置か谷折りの位置を入力し、用紙送り長入力手段で連続紙の一ページの用紙送り長を入力することで、判断手段によって、印刷ジョブの先頭が谷折り用紙に印刷されるか山折り用紙に印刷されるかが判断される。そして、印刷ジョブの先頭が谷折り用紙に印刷されると判断されると、そのまま谷折り用紙に印刷させ、山折り用紙に印刷されると判断されると、連続紙を一ページ搬送させるか、白紙を一ページ印刷することによって、印刷ジョブの先頭を連続紙の谷折り用紙に印刷する。つまり、判断手段によって、印刷ジョブの先頭を谷折り用紙に印刷させるように制御する。
【００１１】
これにより、印刷ジョブの先頭は、連続紙を折り畳んだ状態で表側になるページに印刷されるので、印刷ジョブの先頭の前で連続紙（印刷ジョブが印刷された印刷物）をカットして折り畳んだときに、印刷ジョブの先頭が表側に位置する。したがって、印刷ジョブの確認がしやすくなり、仕分けが容易になる。
【００１２】
請求項２に記載の本発明は、ページ毎に折り畳まれた連続紙に画像を形成する連続紙プリンタにおいて、印刷ジョブの直前に印刷ジョブに関する情報等が記録されたバナーシートを印刷するバナー印刷手段と、所定位置で前記連続紙の折り目が山折りの位置か谷折りの位置かを入力する山谷入力手段と、前記連続紙の一ページの用紙送り長を入力する用紙送り長入力手段と、前記山谷入力手段及び前記用紙送り長入力手段からの情報に基づき、印刷ジョブが前記連続紙の谷折り用紙から始まるか山折り用紙から始まるかを判断する判断手段と、を有し、前記判断手段でバナーシートが前記山折り用紙に印刷されると判断されると、前記連続紙を一ページ搬送するか、又は、白紙を一ページ印刷して、バナーシートを該連続紙の該谷折り用紙に印刷させ、バナーシートが該谷折り用紙に印刷されると判断されると、そのままバナーシートを該谷折り用紙に印刷させることを特徴としている。
【００１３】
請求項２に記載の発明によれば、バナー印刷手段によって、印刷ジョブの直前に印刷ジョブに関する情報等が記録されたバナーシートが印刷される。請求項１と同様に、山谷入力手段や用紙送り長入力手段の情報から、判断手段がバナーシートが谷折り用紙に印刷されるか山折り用紙に印刷されるかを判断する。そして、バナーシートが谷折り用紙に印刷されると判断されると、そのまま谷折り用紙に印刷させ、山折り用紙に印刷されると判断されると、連続紙を一ページ搬送させるか、白紙を一ページ印刷することによって、バナーシートを連続紙の谷折り用紙に印刷する。つまり、判断手段によって、バナーシートを谷折り用紙に印刷させるように制御する。
【００１４】
これにより、バナーシートは連続紙を折り畳んだ状態で表側になるページに印刷されるので、バナーシートの前で印刷物をカットして折り畳んだときに、バナーシートが表側に位置する。
【００１５】
請求項３に記載の本発明は、前記判断手段で前記印刷ジョブの最終が前記連続紙の谷折り用紙に印刷されると判断されると、該連続紙を一ページ搬送するか、又は、白紙を一ページ印刷することを特徴としている。
【００１６】
請求項３に記載の発明によれば、判断手段で印刷ジョブの最終が連続紙の谷折り用紙に印刷されると判断されると、連続紙を一ページ搬送するか、白紙を一ページ印刷することで、次の印刷ジョブの先頭又は、印刷ジョブの先頭の前に印刷されるバナーシートを、連続紙の山折り用紙に印刷させることができる。
【００１７】
請求項４に記載の本発明は、次に印刷される出力ページが印刷ジョブの先頭から数えて偶数か奇数かを検出する検出手段を有し、前記検出手段で出力ページが奇数と検出されると、出力ページは前記連続紙の谷折り用紙に印刷され、出力ページが偶数と検出されると、出力ページは前記連続紙の山折り用紙に印刷されることを特徴としている。
【００１８】
請求項４に記載の発明によれば、印刷ジョブが途中で中断され、次に印刷される出力ページが、検出手段によって印刷ジョブの先頭から数えて偶数か奇数かが検出される。そして、出力ページが奇数の場合には、出力ページを谷折り用紙に印刷する。また、出力ページが偶数の場合には、出力ページを山折り用紙に印刷する。
【００１９】
例えば、印刷ジョブの印刷途中にジャムが発生し、連続紙を交換して印刷ジョブの途中の出力ページから印刷を開始する、所謂リカバリを行ったり、印刷ジョブを印刷した印刷物の一部を、印刷ジョブの途中から再度印刷して差し替える、所謂範囲指定印刷を行った場合に、先に印刷された印刷物と、印刷ジョブの途中から印刷された印刷物との間で、山谷の整合性をとることができる。したがって、先に印刷された印刷物と、印刷ジョブの途中から印刷した印刷物をスプライシングして折り畳むことができる。また、山谷の整合性が崩れないため、複数の印刷ジョブの印刷物を並べてそれぞれの印刷ジョブの確認を行う作業がスムーズに行える。
【００２０】
請求項５に記載の本発明は、前記連続紙を装置にセットするとき、該連続紙の谷折り用紙を該連続紙に画像を形成する画像形成部に対応させることを特徴としている。
請求項５に記載の発明によれば、連続紙の谷折り用紙を画像形成部に対応させて、連続紙をセットする。これにより、印刷ジョブの先頭又は、印刷ジョブの直前に印刷されるバナーシートが、連続紙の谷折り用紙に印刷される。
【発明の効果】
【００２１】
本発明は上記構成としたので、印刷ジョブの先頭で連続紙をカットしたとき、印刷ジョブの先頭ページが折り畳まれた連続紙の表になると共に、印刷ジョブのリカバリを行ったり、一部の範囲を差し替えした場合に、印刷物の折り目の山谷の整合性が変わらない。
【発明を実施するための最良の形態】
【００２２】
以下、本発明の実施の形態を図面に示す実施例を基に詳細に説明する。図１には連続紙プリンタ１０の構造を示す概略正面図が示されている。
【００２３】
図１に示すように、連続紙プリンタ１０の底面中央部には、収容部１２が設置されている。収容部１２には、１ページ毎に折り目を有した連続紙Ｐが、折り畳まれた状態で収容されている。
【００２４】
収容部１２の上方にはローラ１４が設けられており、ローラ１４の搬送方向下流側には、トラクタ１６が設置されている。これにより、収容部１２に収容された連続紙Ｐは、作業者によって先端が収容部１２から取り出され、ローラ１４に送り込まれて、トラクタ１６のピンに連続紙Ｐのトラクタ孔が挿入される。そして、オートロード（連続紙を印刷可能な位置に自動的に搬送する）が実行されて、折り畳みが展開されながら画像形成部１８に搬送されるようになっている。
【００２５】
画像形成部１８は、図示しない駆動機構によって回転可能とされた感光体ドラム２０を有しており、感光体ドラム２０の周囲には、帯電装置２２、２４、露光装置２６、現像装置２８、転写装置３０、クリーニング装置３２、除電装置２４が順に配設されている。
【００２６】
転写装置３０の下流側には定着装置３６が設けられている。定着装置３６はキセノンランプを有しており、キセノンランプを発光させてその熱でトナーを溶かすことによって、連続紙Ｐに転写されたトナー像が定着する構成となっている。
【００２７】
定着装置３６の下流側にはスタッカ３８が設置されている。トナー像が定着した連続紙Ｐは、排紙ローラ４０によって搬送されて、スタッカ３８に折り畳まれてストックされるようになっている。
【００２８】
ここで、画像形成部１８における画像形成プロセスを説明する。
【００２９】
まず、感光体ドラム２０は、図示しない駆動機構によって矢印Ａ方向へ回転し、帯電装置２２、２４によって表面が略均一に帯電される。そして、露光装置２６によって露光され、感光体ドラム２０の表面に画像データに基づく静電潜像が形成される。次に、この静電潜像が現像装置２８によって現像され、感光体ドラム２０の表面にトナー像が形成される。
【００３０】
一方、転写装置３０に送られた連続紙Ｐには、感光体ドラム２０の表面に形成されたトナー像が転写される。トナー像が転写された連続紙Ｐは定着装置３６へ搬送され、そのトナー像が定着装置３６によって定着される。
【００３１】
転写装置３０によって連続紙Ｐに転写されずに感光体ドラム２０の表面に残存したトナーは、クリーニング装置３２によって除去される。そして、その感光体ドラム２０の表面は、除電装置２４によって除電され、再び帯電装置２２、２４によって略均一に帯電される。このような工程を繰り返し行うことにより、画像形成部１８によって連続紙Ｐに順次画像が形成される。
【００３２】
一方、連続紙プリンタ１０は、連続紙Ｐの搬送処理及び、画像形成部１８に印刷指示を行う制御部４２を備えている。これにより、連続紙Ｐは、制御部４２によって送り量が制御されながら搬送されて、画像形成部１８で各ページに所定の画像が形成されるようになっている。
【００３３】
作業者が連続紙Ｐの先端の用紙をトラクタ１６にセットし、操作パネル４３から連続紙Ｐの１ページの用紙送り長及び先頭ページの折り目の方向の情報を入力した後、オートロードボタンを押すと、連続紙Ｐは、画像形成部１８、定着装置３６、排紙ローラ４０に掛け渡され、先端部がスタッカ３８に至る。連続紙Ｐの１ページの用紙送り長と先頭ページの折り目の方向の情報と、トラクタ１６から印刷開始位置（感光体ドラム２０上のトナー像が転写される位置）までの距離から、印刷開始用紙が谷折り用紙ＰＡか山折り用紙ＰＢか、制御部４２で判断される。
【００３４】
なお、図２（Ａ）に示すように、本実施形態では、連続紙Ｐの谷から山に向かう用紙を谷折り用紙ＰＡとし、山から谷に向かう用紙を山折り用紙ＰＢとする。そして、この連続紙Ｐは、図２（Ｂ）に示すように、収容部に収容された状態と同じになるように、スタッカ３８に折り畳まれて回収され、谷折り用紙ＰＡがスタッカ３８の底面３８Ａに対向し、山折り用紙ＰＢがスタッカ３８の開口側に対向する。
【００３５】
これにより、印刷ジョブの先頭ページを谷折り用紙ＰＡに形成（印刷）して、谷折り用紙ＰＡの搬送方向先端（谷折り側の折り目）で連続紙Ｐ（印刷物）をカットしたとき、印刷ジョブの先頭ページが、カットされた印刷物の表面になる。
【００３６】
したがって、印刷ジョブの先頭ページが谷折り用紙ＰＡに印刷されるか否かを、制御部４２で判断して、常に先頭ページを谷折り用紙ＰＡに印刷するように制御すれば、印刷ジョブの先頭ページを、印刷物の表面に位置させることができる。
【００３７】
そこで、前述したように、印刷ジョブの先頭ページが、谷折り用紙ＰＡに印刷されるか否かを、制御部４２で判断して、図３（Ａ）に示すように、谷折り用紙ＰＡに印刷されると判断されれば、そのままの状態で印刷ジョブの印刷を開始する。これにより、図３（Ｂ）に示すように、谷折り用紙ＰＡに印刷ジョブの先頭ページが印刷される。
【００３８】
一方、図４（Ａ）に示すように、制御部４２によって印刷ジョブの先頭ページが谷折り用紙ＰＡに印刷されない（山折り用紙ＰＢに印刷される）と判断されると、図４（Ｂ）に示すように、制御部４２で連続紙Ｐを１ページ分搬送させる制御がなされる。そして、印刷ジョブの印刷を開始することで、図４（Ｃ）に示すように、印刷ジョブの先頭ページが谷折り用紙ＰＡに印刷される。つまり、印刷ジョブの印刷が谷折り用紙ＰＡから開始される。
【００３９】
なお、本実施形態では、印刷ジョブの先頭ページが谷折り用紙ＰＡに印刷されるように、制御部４２によって連続紙Ｐの搬送を制御する構成としたが、図５に示すように、制御部４２で画像形成部１８を制御して、連続紙Ｐを１ページ搬送する代わりに、白紙を１ページ印刷してもよい。つまり、図５（Ａ）に示すように、制御部４２によって印刷ジョブの先頭ページが山折り用紙ＰＢに印刷されると判断されると、図５（Ｂ）に示すように、制御部４２によって画像形成部１８で山折り用紙ＰＢに白紙を印刷するように制御される。これにより、図５（Ｃ）に示すように、印刷ジョブの先頭ページの前に白紙が１ページ印刷され、次のページの谷折り用紙ＰＡから印刷ジョブの印刷が開始される。これにより、谷折り用紙ＰＡに印刷ジョブの先頭ページが印刷される。
【００４０】
次に、本発明の第１の実施形態の作用について説明する。まず、連続紙プリンタ１０の動作について説明する。図６は、連続紙プリンタ１０の動作の流れを示すフローチャートである。
【００４１】
まず、ステップ１００で印刷ジョブの印刷開始が指示されると、ステップ１０２で、制御部４２において、印刷ジョブの先頭ページが連続紙Ｐの谷折り用紙ＰＡに印刷されるか否か、つまり、印刷ジョブの印刷開始位置が連続紙Ｐの谷折り用紙ＰＡか否かが判断される。
【００４２】
印刷ジョブの印刷開始位置が谷折り用紙ＰＡであると判断されると、ステップ１０４に進む。そして、ステップ１０４で、印刷ジョブの１ページ目（先頭ページ）から印刷が開始される。
【００４３】
一方、ステップ１０２で、印刷ジョブの印刷開始位置が谷折り用紙ＰＡでないと判断されると、ステップ１０６に進む。ステップ１０６では、制御部４２によって連続紙Ｐを１ページ搬送させるか、山折り用紙ＰＢに白紙を印刷するように制御される。これにより、印刷開始位置が谷折り用紙ＰＡとなり、ステップ１０４に進んで、印刷ジョブの１ページ目から印刷が開始される。
【００４４】
以上のような構成により、印刷ジョブの先頭ページは、連続紙Ｐを折り畳んだ状態で表側になるページに印刷されるので、印刷ジョブの先頭ページの前で連続紙Ｐ（印刷物）をカットして折り畳んだときに、印刷ジョブの先頭ページが表側に位置する。したがって、印刷ジョブの確認がしやすくなり、仕分けが容易になる。
【００４５】
なお、本実施形態では、印刷ジョブの開始位置を谷折り用紙ＰＢに印刷する構成で説明したが、連続紙プリンタ１０に新規に連続紙Ｐをセットして印刷ジョブの印刷を行うときや、前の印刷ジョブの印刷終了後に次の印刷ジョブの印刷待ちを行うときにも、連続紙Ｐの谷折り用紙ＰＡを画像形成部１８に対応させる。これにより、印刷ジョブの先頭ページを、印刷物の表側に位置させることができる。
【００４６】
次に、本発明の第２の実施形態について説明する。なお、第１の実施形態と同様の部分についての説明は割愛する。
【００４７】
印刷ジョブの先頭ページの前に、印刷ジョブに関する情報等が記録されたバナーシートを印刷する場合がある。この場合、バナーシートが谷折り用紙ＰＡに印刷されるか否かを制御部４２で判断して、図７（Ａ）に示すように、バナーシートが谷折り用紙ＰＡに印刷されると判断されれば、そのままの状態で印刷を開始する。これにより、図７（Ｂ）に示すように、谷折り用紙ＰＡにバナーシートが印刷される。そして、図７（Ｃ）に示すように、山折り用紙ＰＢから印刷ジョブの印刷が開始され、山折り用紙ＰＢに印刷ジョブの１ページ目が印刷される。
【００４８】
一方、図８（Ａ）に示すように、制御部４２によってバナーシートが谷折り用紙ＰＡに印刷されない（山折り用紙ＰＢに印刷される）と判断されると、図８（Ｂ）に示すように、制御部４２で連続紙Ｐを１ページ分搬送させる制御がなされる。そして、印刷を開始すると、図８（Ｃ）に示すように、バナーシートが谷折り用紙ＰＡに印刷され、図８（Ｄ）に示すように、山折り用紙ＰＢに印刷ジョブの１ページ目が印刷されて、印刷ジョブの印刷が開始される。
【００４９】
なお、本実施形態においても、バナーシートが谷折り用紙ＰＡに印刷されない（山折り用紙ＰＢに印刷される）と判断されたとき、制御部４２で画像形成部１８を制御して、連続紙Ｐを１ページ搬送する代わりに、白紙を１ページ印刷してもよい。
【００５０】
図９には、印刷ジョブの先頭ページの前にバナーシートを印刷する場合の流れを示すフローチャートが示されている。
【００５１】
まず、ステップ１１０で印刷ジョブの印刷開始が指示されると、ステップ１１２で、制御部４２において、印刷開始位置が谷折り用紙ＰＡか否かが判断される。
【００５２】
ステップ１１２で、印刷ジョブの印刷開始位置が谷折り用紙ＰＡであると判断されると、ステップ１１４に進む。ステップ１１４では、印刷ジョブの先頭ページの前にバナーシートが印刷されるか否かが判断される。
【００５３】
ステップ１１４で、印刷ジョブの先頭ページの前にバナーシートが印刷されると判断されると、ステップ１１６に進む。そして、ステップ１１６で、谷折り用紙ＰＡにバナーシートが印刷され、次のステップ１１８で、印刷ジョブの１ページ目から印刷が開始される。
【００５４】
また、ステップ１１４で、印刷ジョブの先頭ページの前にバナーシートが印刷されないと判断されると、ステップ１２２に進み、印刷ジョブの１ページ目から印刷が開始される。
【００５５】
一方、ステップ１１２で、印刷開始位置が谷折り用紙ＰＡでないと判断されると、ステップ１２０に進む。ステップ１２０では、制御部４２によって連続紙Ｐを１ページ搬送させるか、山折り用紙ＰＢに白紙を印刷するように制御される。これにより、印刷開始位置が谷折り用紙ＰＡとなり、ステップ１１４に進む。
【００５６】
以上のような構成により、印刷ジョブの先頭ページ（１ページ目）の前にバナーシートが印刷される場合には、このバナーシートは、連続紙Ｐを折り畳んだ状態で表側になるページに印刷されるので、バナーシートの前で印刷物をカットして折り畳んだときに、バナーシートが表側に位置する。したがって、印刷ジョブの確認がしやすくなり、仕分けが容易になる。
【００５７】
次に、本発明の第３の実施形態について説明する。なお、第１の実施形態と同様の部分についての説明は割愛する。
【００５８】
制御部４２で、印刷ジョブの最終ページが、谷折り用紙ＰＡに印刷されたか否かを判断する。そして、図１０（Ａ）に示すように、印刷ジョブの最終ページが谷折り用紙ＰＡに印刷されたと判断されると、制御部４２で連続紙Ｐを１ページ分搬送させる制御がなされる。これにより、印刷開始位置に谷折り用紙ＰＡが搬送されて、次の印刷ジョブの先頭ページが谷折り用紙ＰＡに印刷される。
【００５９】
一方、図１０（Ｂ）に示すように、印刷ジョブの最終ページが山折り用紙ＰＢに印刷されたと判断されると、そのままの状態で次の印刷ジョブを開始する。これにより、次の印刷ジョブの先頭ページが、谷折り用紙ＰＡに印刷される。
【００６０】
次に、本発明の第４の実施形態について説明する。なお、第１の実施形態と同様の部分についての説明は割愛する。
【００６１】
印刷ジョブの先頭ページが連続紙Ｐの谷折り用紙ＰＡに印刷されるとき、印刷ジョブの奇数ページは谷折り用紙ＰＡに印刷されて、偶数ページは山折り用紙ＰＢに印刷される。
【００６２】
そこで、印刷ジョブの途中ページから印刷を開始する場合、制御部４２によって印刷するページ（印刷開始位置）が印刷ジョブの先頭から何ページ目なのかを判断する。
【００６３】
本実施形態では、制御部４２によって、印刷開始位置が奇数ページか否かを判断して、印刷開始位置が奇数ページの場合には谷折り用紙ＰＡから印刷を開始し、印刷開始位置が偶数ページの場合には、山折り用紙ＰＢから印刷を開始する。これにより、印刷ジョブの途中から印刷を開始しても、先に印刷された印刷物の折り目の山谷と、途中から印刷された印刷物の折り目の山谷の整合性が保たれる。
【００６４】
ここで、例として、印刷ジョブの１ページ目から４ページ目までが印刷されたところで、用紙詰まり等などで用紙交換が必要になり、用紙交換してから５ページ目以降を印刷する場合、所謂リカバリを行った場合について説明する。
【００６５】
図１１（Ａ）に示すように、印刷ジョブの１ページ目を谷折り用紙ＰＡに印刷すると、用紙交換前に印刷された印刷ジョブの最終ページ（４ページ目）は山折り用紙ＰＢに印刷される。したがって、用紙交換後に、この印刷ジョブの５ページ目を谷折り用紙ＰＡに印刷して、用紙交換前に印刷された印刷物と、印刷交換後に印刷された印刷物の折り目の山谷の整合性を保つ必要がある。
【００６６】
そこで、用紙交換後に印刷ジョブの５ページ目から印刷を開始するとき、制御部４２で印刷開始位置（５ページ目）が谷折り用紙ＰＡであるか否かを判断する。そして、５ページ目が谷折り用紙ＰＡに印刷されると判断されると、そのままの状態で印刷を開始する。これにより、谷折り用紙ＰＡに５ページ目が印刷される。
【００６７】
一方、制御部４２で印刷開始位置が谷折り用紙ＰＡでないと判断されると、制御部４２で連続紙Ｐを１ページ分搬送させる制御がなされる。連続紙Ｐが１ページ分搬送された後に５ページ目からの印刷を開始すると、図１１（Ｂ）に示すように、５ページ目は谷折り用紙ＰＡに印刷される。
【００６８】
これにより、図１１（Ｃ）に示すように、用紙交換前に印刷された印刷物の４ページ目の後に、用紙交換後に印刷された５ページ目をスプライシングしたとき、印刷物の折り目の山谷の整合性が保たれる。
【００６９】
ここで、第４の実施形態の動作について、図１２のフローチャートを元に説明する。
【００７０】
まず、ステップ１２０で、印刷ジョブの途中の印刷開始が指示されると、ステップ１２２で、制御部４２において、印刷開始位置が奇数ページか否かが判断される。
【００７１】
ステップ１２２で、印刷開始位置が奇数ページであると判断されると、ステップ１２４に進む。ステップ１２４では、印刷開始位置が谷折り用紙ＰＡか否かが判断される。
【００７２】
ステップ１２４で、印刷開始位置が谷折り用紙ＰＡと判断されると、ステップ１２６に進み、印刷が開始される。
【００７３】
一方、ステップ１２４で、印刷開始位置が谷折り用紙ＰＡでないと判断されると、ステップ１２８に進む。ステップ１２８では、制御部４２によって連続紙Ｐを１ページ搬送させるか、山折り用紙ＰＢに白紙を印刷するように制御される。これにより、印刷開始位置が谷折り用紙ＰＡとなり、ステップ１２６に進んで、印刷が開始される。
【００７４】
また、ステップ１２２で、印刷開始位置が奇数ページでないと判断されると、ステップ１３０に進む。ステップ１３０では、印刷開始位置が山折り用紙ＰＢか否かが判断される。
【００７５】
ステップ１３０で、印刷開始位置が山折り用紙ＰＢであると判断されると、ステップ１３２に進み、印刷が開始される。
【００７６】
一方、ステップ１３０で、印刷開始位置が山折り用紙ＰＢでないと判断されると、ステップ１２８に進む。ステップ１２８では、制御部４２によって連続紙Ｐを１ページ搬送させるか、谷折り用紙ＰＡに白紙を印刷するように制御される。これにより、印刷開始位置が山折り用紙ＰＢとなり、ステップ１３２に進んで、印刷が開始される。
【００７７】
以上のような構成により、印刷ジョブの印刷途中でジャムが発生したりして用紙交換をする、所謂リカバリが発生したりして、印刷ジョブの途中から印刷を開始するとき、先に印刷された印刷物と、後に印刷された印刷物の間で、山谷の整合性が崩れることがない。したがって、先に印刷された印刷物と、後に印刷された印刷物をスプライシングして折り畳むことができる。また、複数の印刷ジョブの印刷物を並べて、それぞれの印刷ジョブの確認を行う作業に困難をきたす恐れがない。
【００７８】
なお、本実施形態では、用紙交換等によるリカバリを行った場合について説明したが、印刷ジョブの一部を印刷して、先に印刷された印刷ジョブの印刷物の一部と差し替える必要が生じた場合でも、同様の動作を行うことで、印刷物の整合性が保たれる。
【００７９】
例として、印刷ジョブの１ページ目から１０ページ目を印刷し、４ページ目から７ページ目を再度印刷（範囲指定印刷）して、先に印刷された印刷物の４ページ目から７ページ目と差し替える場合について説明する。
【００８０】
図１３（Ａ）に示すように、印刷ジョブの先頭ページを谷折り用紙ＰＡに印刷すると、印刷ジョブの奇数ページは谷折り用紙ＰＡに印刷され、偶数ページは山折り用紙ＰＢに印刷される。
【００８１】
そこで、印刷ジョブの４ページ目から７ページ目を印刷するとき、制御部４２で４ページ目が山折り用紙ＰＢに印刷されるか否かを判断する。そして、４ページ目が山折り用紙ＰＢに印刷されると判断されると、そのままの状態で印刷を開始する。これにより、山折り用紙ＰＢに４ページ目が印刷される。
【００８２】
一方、制御部４２で４ページ目が山折り用紙ＰＢに印刷されないと判断されると、制御部４２で連続紙Ｐを１ページ分搬送させる制御がなされる。連続紙Ｐが１ページ分搬送された後に印刷ジョブの４ページ目からの印刷を開始すると、図１３（Ｂ）に示すように、４ページ目は山折り用紙ＰＢに印刷される。
【００８３】
これにより、図１３（Ｃ）に示すように、先に印刷された印刷物の４ページ目から７ページ目と、後に印刷された４ページ目から７ページ目を差し替えてスプライシングしたとき、印刷物の折り目の山谷の整合性が保たれる。
【００８４】
なお、本実施形態では、印刷ジョブの先頭にバナーシートが印刷されない場合について説明したが、バナーシートが印刷される場合には、印刷開始位置が奇数ページの場合には山折り用紙ＰＢに印刷し、印刷開始位置が偶数ページの場合には谷折り用紙ＰＡに印刷する。
【図面の簡単な説明】
【００８５】
【図１】本発明の第１の実施形態に係る連続紙プリンタの概略図である。
【図２】本発明の第１の実施形態に係る連続紙プリンタに用いられる連続紙を示す図であり、（Ａ）は斜視図であり、（Ｂ）はスタッカに収納された状態を示す側面図である。
【図３】本発明の第１の実施形態に係る連続紙プリンタにおいて、連続紙の印刷状態を示す図である。
【図４】本発明の第１の実施形態に係る連続紙プリンタにおいて、連続紙の印刷状態を示す図である。
【図５】本発明の第１の実施形態に係る連続紙プリンタにおいて、連続紙の印刷状態を示す図である。
【図６】本発明の第１の実施形態に係る連続紙プリンタの動作を示すフローチャートである。
【図７】本発明の第２の実施形態に係る連続紙プリンタにおいて、連続紙の印刷状態を示す図である。
【図８】本発明の第２の実施形態に係る連続紙プリンタにおいて、連続紙の印刷状態を示す図である。
【図９】本発明の第２の実施形態に係る連続紙プリンタの動作を示すフローチャートである。
【図１０】本発明の第３の実施形態に係る連続紙プリンタにおいて、連続紙の印刷状態を示す図である。
【図１１】本発明の第４の実施形態に係る連続紙プリンタにおいて、連続紙の印刷状態を示す図である。
【図１２】本発明の第４の実施形態に係る連続紙プリンタにおいて、連続紙の印刷状態を示す図である。
【図１３】本発明の第４の実施形態に係る連続紙プリンタの動作を示すフローチャートである。
【符号の説明】
【００８６】
１０  連続紙プリンタ
１６  トラクタ（山谷入力手段、用紙送り長入力手段）
１８  画像形成部（バナー出力手段）
４２  制御部（判断手段）
【図１】
2007086396.tif 000003
【図２】
2007086396.tif 000004
【図３】
2007086396.tif 000005
【図４】
2007086396.tif 000006
【図５】
2007086396.tif 000007
【図６】
2007086396.tif 000008
【図７】
2007086396.tif 000009
【図８】
2007086396.tif 000010
【図９】
2007086396.tif 000011
【図１０】
2007086396.tif 000012
【図１１】
2007086396.tif 000013
【図１２】
2007086396.tif 000014
【図１３】
2007086396.tif 000015